(57)【要約】【課題】1080/60pの映像表示を簡単な構成で実現することができるようにする。【解決手段】再生装置は、プライマリビデオストリームとして記録された1080/60iの映像信号とセカンダリビデオストリームとして記録された1080/60iの映像信号、および、セカンダリビデオストリームの再生についての制御情報である再生制御情報を、ディスク記録媒体から読み出す。再生制御情報がプライマリビデオストリームとセカンダリビデオストリームを合成することを表している場合、再生装置は、プライマリビデオストリームに対応する映像信号とセカンダリビデオストリームに対応する映像信号を合成して、1080/60pの映像信号を生成する。本発明は、例えば、再生装置に適用できる。【選択図】図２
2010109404.tif 000002
【特許請求の範囲】
【請求項１】
プライマリビデオストリームとセカンダリビデオストリームの２つの1080/60iのビデオストリームと、前記セカンダリビデオストリームの再生についての制御情報である再生制御情報を、ディスク記録媒体から読み出す再生手段と、
前記再生制御情報が、前記プライマリビデオストリームとセカンダリビデオストリームを合成することを表している場合、前記プライマリビデオストリームに対応する映像信号と前記セカンダリビデオストリームに対応する映像信号を合成して、1080/60pの映像信号を生成する生成手段と
を備える再生装置。
【請求項２】
合成される前記プライマリビデオストリームとセカンダリビデオストリームの一方は、奇数フレームの奇数ラインと偶数フレームの偶数ラインの映像であり、他方は、奇数フレームの偶数ラインと偶数フレームの奇数ラインの映像である
請求項１に記載の再生装置。
【請求項３】
前記再生制御情報は、セカンダリビデオストリームによる映像の表示サイズと、1080/60pの映像表示の有効または無効を識別する合成表示フラグであり、
前記生成手段は、前記表示サイズがフルサイズを表し、かつ、前記合成表示フラグが1080/60pの映像表示の有効を表している場合、前記1080/60pの映像信号を生成する
請求項２に記載の再生装置。
【請求項４】
ディスク記録媒体を再生する再生手段と、映像信号を生成する生成手段とを備える再生装置の
前記再生手段が、プライマリビデオストリームとセカンダリビデオストリームの２つの1080/60iのビデオストリームと、前記セカンダリビデオストリームの再生についての制御情報である再生制御情報を、前記ディスク記録媒体から読み出し、
前記生成手段が、前記再生制御情報が前記プライマリビデオストリームとセカンダリビデオストリームを合成することを表している場合、前記プライマリビデオストリームに対応する映像信号と前記セカンダリビデオストリームに対応する映像信号を合成して、1080/60pの映像信号を生成する
ステップを含む再生制御方法。
【請求項５】
コンピュータに、
プライマリビデオストリームとセカンダリビデオストリームの２つの1080/60iのビデオストリームと、前記セカンダリビデオストリームの再生についての制御情報である再生制御情報を、ディスク記録媒体から読み出させる再生制御手段と、
前記再生制御情報が、前記プライマリビデオストリームとセカンダリビデオストリームを合成することを表している場合、前記プライマリビデオストリームに対応する映像信号と前記セカンダリビデオストリームに対応する映像信号を合成して、1080/60pの映像信号を生成する生成手段と
として機能させるためのプログラム。
【発明の詳細な説明】
【技術分野】
【０００１】
本発明は、再生装置、再生制御方法、およびプログラムに関し、特に、1080/60pの映像表示を簡単な構成で実現することができるようにする再生装置、再生制御方法、およびプログラムに関する。
【背景技術】
【０００２】
BD-ROM（商標）(Blu-ray Disc- Read Only Memory)の規格によれば、BD-ROM（商標）には、プライマリビデオストリームとセカンダリビデオストリームの２つのビデオストリームを同時再生させるような記録が可能である。これにより、例えば、ピクチャ・イン・ピクチャなどの表示が可能となる。
【０００３】
ただし、BD-ROM規格において、プライマリビデオストリームまたはセカンダリビデオストリームとして記録できる映像の最高解像度は、1080/60iである。
【０００４】
従って、プライマリビデオストリームのみを使用して、BD-ROM（商標）に1080/60pのAV（Audio/Video）ストリームを記録させることはできない。
【０００５】
そこで、プライマリビデオストリームとセカンダリビデオストリームの２つのビデオストリームを利用して高解像度の映像表示を実現する技術が提案されている（例えば、特許文献１参照）。
【０００６】
【特許文献１】特開２００７−１６６６４７号公報
【発明の開示】
【発明が解決しようとする課題】
【０００７】
しかしながら、特許文献１で提案されている技術は、独自のフォーマットにより実現するものであるため、標準規格との互換性がなく、独自のフォーマットと標準規格の両方の再生を可能とした場合には、処理回路が複雑になるなど実現性に乏しい。
【０００８】
また、特許文献１で提案されている技術は、1080/60pの映像表示には対応していない。
【０００９】
本発明は、このような状況に鑑みてなされたものであり、1080/60pの映像表示を簡単な構成で実現することができるようにするものである。
【課題を解決するための手段】
【００１０】
本発明の一側面の再生装置は、プライマリビデオストリームとセカンダリビデオストリームの２つの1080/60iのビデオストリームと、前記セカンダリビデオストリームの再生についての制御情報である再生制御情報を、ディスク記録媒体から読み出す再生手段と、前記再生制御情報が、前記プライマリビデオストリームとセカンダリビデオストリームを合成することを表している場合、前記プライマリビデオストリームに対応する映像信号と前記セカンダリビデオストリームに対応する映像信号を合成して、1080/60pの映像信号を生成する生成手段とを備える。
【００１１】
本発明の一側面の再生制御方法は、ディスク記録媒体を再生する再生手段と、映像信号を生成する生成手段とを備える再生装置の前記再生手段が、プライマリビデオストリームとセカンダリビデオストリームの２つの1080/60iのビデオストリームと、前記セカンダリビデオストリームの再生についての制御情報である再生制御情報を、前記ディスク記録媒体から読み出し、前記生成手段が、前記再生制御情報が前記プライマリビデオストリームとセカンダリビデオストリームを合成することを表している場合、前記プライマリビデオストリームに対応する映像信号と前記セカンダリビデオストリームに対応する映像信号を合成して、1080/60pの映像信号を生成するステップを含む。
【００１２】
本発明の一側面のプログラムは、コンピュータに、プライマリビデオストリームとセカンダリビデオストリームの２つの1080/60iのビデオストリームと、前記セカンダリビデオストリームの再生についての制御情報である再生制御情報を、ディスク記録媒体から読み出させる再生制御手段と、前記再生制御情報が、前記プライマリビデオストリームとセカンダリビデオストリームを合成することを表している場合、前記プライマリビデオストリームに対応する映像信号と前記セカンダリビデオストリームに対応する映像信号を合成して、1080/60pの映像信号を生成する生成手段として機能させる。
【００１３】
本発明の一側面においては、プライマリビデオストリームとセカンダリビデオストリームの２つの1080/60iのビデオストリームと、セカンダリビデオストリームの再生についての制御情報である再生制御情報が、ディスク記録媒体から読み出され、再生制御情報が、プライマリビデオストリームとセカンダリビデオストリームを合成することを表している場合、プライマリビデオストリームに対応する映像信号とセカンダリビデオストリームに対応する映像信号が合成されて、1080/60pの映像信号が生成される。
【００１４】
なお、プログラムは、伝送媒体を介して伝送することにより、又は、記録媒体に記録して、提供することができる。
【００１５】
再生装置は、独立した装置であっても良いし、１つの装置を構成している内部ブロックであっても良い。
【発明の効果】
【００１６】
本発明の一側面によれば、1080/60pの映像表示を簡単な構成で実現することができる。
【発明を実施するための最良の形態】
【００１７】
［再生装置の構成］
図１は、本発明を適用した再生装置の一実施の形態の構成例を示している。
【００１８】
再生装置１は、CPU（Central Processing Unit）１１，ROM（Read Only Memory）１２，RAM（Random Access Memory）１３、および入出力インタフェース１４を有している。CPU１１、ROM１２、RAM１３および入出力インタフェース１４は、バス１５により相互に接続されている。
【００１９】
入出力インタフェース１４には、入力部１６、出力部１７、およびドライブ１８が接続されている。ドライブ１８には、読み取り専用のディスク記録媒体１９が装着される。読み取り専用のディスク記録媒体１９は、例えば、BD-ROM（商標）(Blu-ray Disc- Read Only Memory)である。
【００２０】
再生装置１は、ディスク記録媒体１９に記録されているコンテンツのAV（Audio/Video）ストリームデータを再生し、再生されたコンテンツの映像信号および音声信号を出力部１７から、外部の装置（例えば、テレビジョン受像機）に出力する。これにより外部の装置において、コンテンツの映像が表示されるとともに、音声が出力される。
【００２１】
CPU１１は、ROM１２に記憶されているプログラムに従って、ドライブ１８に装着されたディスク記録媒体１９の再生制御を行う。また、CPU１１は、ディスク記録媒体１９から読み出されて供給されるAVストリームデータをビデオストリームとオーディオストリームに分離するデマルチプレクサ処理を行う。さらに、CPU１１は、分離されたビデオストリームとオーディオストリームを、所定の方式（例えば、MPEG2 (Moving Picture Experts Group２）方式)でデコードするデコード処理も行う。
【００２２】
ROM１２は、CPU１１により実行される再生制御のプログラムやプログラム実行に必要な固定のパラメータを予め記憶する。RAM１３は、CPU１１が各種の処理を実行する上において一時的に記憶することが必要なデータを適宜記憶する。
【００２３】
なお、CPU１１により実行される再生制御のプログラムは、ROM１２に予め記憶しておく他、通信インタフェースを設け、例えば、磁気ディスク（フレキシブルディスクを含む）、光ディスク、光磁気ディスク、もしくは半導体メモリなどよりなるパッケージメディアに記録して、あるいは、ローカルエリアネットワーク、インターネット、デジタル衛星放送といった、有線または無線の伝送媒体を介して再生装置１にインストール（提供）することも可能である。
【００２４】
入力部１６は、例えば、ボタン、キー、タッチパネル、ジョグダイヤル、マウスなどの入力デバイスや、図示せぬリモートコマンダから送信される赤外線などの信号を受信する受信部により構成され、ユーザの操作入力を取得し、CPU１１に供給する。
【００２５】
出力部１７は、HDMI（商標）接続端子などのデジタルインタフェース、およびアナログ出力端子（RCA出力端子）などのアナログインタフェースを備える。出力部１７は、ディスク記録媒体１９から読み出され、デコード処理等の所定の処理が施された後の映像信号および音声信号を外部の装置に出力する。映像信号をアナログ信号として出力する場合には、出力部１７は、デジタルの映像信号をDA変換してから出力する。
【００２６】
ドライブ１８は、CPU１１の制御の下、装着されているディスク記録媒体１９に記録されているコンテンツのAVストリームデータを読み出し、入出力インタフェース１４を介してCPU１１に供給する。
【００２７】
以上のように構成される再生装置１においては、ディスク記録媒体１９としてのBD-ROM（商標）に記録されたコンテンツのAVストリームを再生し、コンテンツの映像信号と音声信号を出力することができる。
【００２８】
BD-ROM（商標）は、BD-ROM規格に基づいた読み取り専用のディスク記録媒体である。BD-ROM規格によれば、BD-ROM（商標）には、720/60pや1080/60iのAVストリームを記録することができるが、1080/60pのAVストリームは記録することができない。即ち、BD-ROM規格に準拠したディスク記録媒体１９を再生することでは、720/60pの映像や1080/60iの映像を表示させることはできるが、1080/60pの映像を表示させることはできない。
【００２９】
これに対して、再生装置１は、1080/60pの映像表示をするためのAVストリーム（以下、1080/60pのAVストリームとも称する）が、BD-ROM規格にほぼ準拠する形で記録されたディスク記録媒体１９を再生することができ、1080/60pの映像を表示させることができる。
【００３０】
ここで、720/60pの映像とは、解像度が１２８０×７２０画素で、走査方式がプログレッシブで表示される映像である。1080/60iの映像とは、解像度が１９２０×１０８０画素で、走査方式がインターレースで表示される映像である。1080/60pの映像とは、解像度が１９２０×１０８０画素で、走査方式がプログレッシブで表示される映像である。なお、1080/60iなどの“60”は、１秒間に６０枚の映像を表示することを表す。
【００３１】
[1080/60pの映像の再生原理]
図２は、再生装置１による1080/60pの映像の再生原理を示す図である。
【００３２】
BD-ROM規格では、上述したように、プライマリビデオストリームおよびセカンダリビデオストリームとして、1080/60iの映像信号を記録させることは可能である。
【００３３】
そこで、図２Aに示される1080/60pの映像信号（ソース映像）が、２本の1080/60iの映像信号に分離される。一方の1080/60iの映像信号は、図２Bに示される、奇数フレームの奇数ライン（top）と偶数フレームの偶数ライン（bottom）の映像信号である。他方の1080/60iの映像信号は、図２Cに示される、奇数フレームの偶数ライン（bottom）と偶数フレームの奇数ライン（top）の映像信号である。なお、図２において、“＜＞”内の数字がフレーム番号を表す。
【００３４】
そして、分離された２本の1080/60iの映像信号の一方が、プライマリビデオストリームとして、他方が、セカンダリビデオストリームとしてディスク記録媒体１９に記録される。例えば、図２Bに示される、奇数フレームの奇数ラインと偶数フレームの偶数ラインの映像信号が、プライマリビデオストリームとしてディスク記録媒体１９に記録される。また、図２Cに示される、奇数フレームの偶数ラインと偶数フレームの奇数ラインの映像信号が、セカンダリビデオストリームとしてディスク記録媒体１９に記録される。プライマリビデオストリームまたはセカンダリビデオストリームとして記録される映像信号は、1080/60iの信号であるので、BD-ROM規格に準じた記録が可能である。
【００３５】
そして、1080/60pの映像を表示するための再生が実行された場合、プライマリビデオストリームとセカンダリビデオストリームが並行して読み出され、合成されることで、1080/60pの映像信号が生成される。具体的には、図２Dに示されるように、プライマリビデオストリームとして記録されている奇数フレームの奇数ラインの映像は、セカンダリビデオストリームとして記録されている奇数フレームの偶数ラインの映像と合成される。プライマリビデオストリームとして記録されている偶数フレームの偶数ラインの映像は、セカンダリビデオストリームとして記録されている偶数フレームの奇数ラインの映像と合成される。これにより、図２Aと同様の、1080/60pの映像を表示することができる。
【００３６】
なお、再生装置１が、BD-ROM規格に準拠した720/60pや1080/60iのAVストリームの再生を行うのか、1080/60pの映像を表示するためのAVストリームの再生を行うのかは、ディスク記録媒体１９からプレイリストの一部として読み出される再生制御情報によって決定される。
【００３７】
［再生制御情報の例］
図３は、ディスク記録媒体１９からプレイリストの一部として読み出される再生制御情報の例を示している。
【００３８】
図３の再生制御情報は、セカンダリビデオストリームおよびセカンダリオーディオストリームの再生についての制御情報であり、ディスク記録媒体１９から読み出され、RAM１３の一部として設けられている３２ビットのレジスタに記憶される。なお、ディスク記録媒体１９から読み出される前のRAM１３の一部として設けられている３２ビットのレジスタの初期値は、例えば、0xFFFFとされる。“0x”は１６進表示を表す（以下についても同様）。
【００３９】
レジスタのビット０乃至７の８ビットには、再生制御情報のSecondary audio stream numberが格納される。Secondary audio stream numberは、セカンダリオーディオストリームの数を表す。
【００４０】
なお、1080/60pの映像表示では、セカンダリオーディオは使用せず、音声はプライマリオーディオのみが使用される。従って、1080/60pの映像表示が行われる場合、Secondary audio stream number はゼロ（Secondary audio stream number＝0）となっている。
【００４１】
レジスタのビット８乃至１５の８ビットには、再生制御情報のSecondary video stream numberが格納される。Secondary video stream numberは、セカンダリビデオストリームの数を表す。
【００４２】
レジスタのビット１６乃至２３とビット２８および２９は、BD-ROM規格では、予備領域として割り当てられている。1080/60pのAVストリームが記録されたディスク記録媒体１９では、この予備領域を利用して、ビット１６乃至２３に、1080/60pの映像表示の有効または無効を識別する合成表示フラグが記憶される。
【００４３】
例えば、ビット１６乃至２３の値が0x01である場合、合成表示フラグは1080/60pの映像表示を行うことを表し、ビット１６乃至２３の値が0x01以外である場合、合成表示フラグは1080/60pの映像表示を行わないことを表す。1080/60pの映像表示を行うとは、1080/60iのプライマリビデオストリームとセカンダリビデオストリームを、図２Dに示したように合成する処理を行うことである。1080/60pの映像表示を行わない場合には、再生装置１は、BD-ROM規格に準拠した再生を行う。
【００４４】
レジスタのビット２４乃至２７の４ビットには、再生制御情報のSecondary Video sizeが格納される。Secondary Video sizeは、セカンダリビデオストリームによる映像の表示サイズを表す。例えば、Secondary Video sizeが0xFである（ Secondary Video size＝0xF）場合、セカンダリビデオストリームによる映像の表示サイズは、画面のフルサイズであることを表す。
【００４５】
レジスタのビット３０の１ビットには、再生制御情報のdisp_a_flagが格納される。disp_a_flagは、セカンダリオーディオを有効にするか否かを表す。例えば、disp_a_flag＝0のとき、セカンダリオーディオは無効であることを表し、disp_a_flag＝1のとき、セカンダリオーディオは有効であることを表す。
【００４６】
1080/60pの映像表示では、セカンダリオーディオは使用せず、音声はプライマリオーディオのみが使用されるので、disp_a_flag はゼロ（disp_a_flag＝0）である。
【００４７】
レジスタのビット３１の１ビットには、再生制御情報のdisp_v_flagが格納される。disp_v_flagは、セカンダリビデオを有効にするか否かを表す。例えば、disp_v_flag＝0のとき、セカンダリビデオは無効であることを表し、disp_v_flag＝1のとき、セカンダリビデオは有効であることを表す。
【００４８】
以上のように、1080/60pのAVストリームが記録されたディスク記録媒体１９から読み出される、セカンダリビデオストリームおよびセカンダリオーディオストリームの再生についての再生制御情報は、予備領域の一部にプライマリビデオストリームとセカンダリビデオストリームを合成するか否かを表す合成表示フラグが使用されている以外は、BD-ROM規格の再生制御情報と同様である。従って、BD-ROM規格のディスク記録媒体１９とほぼ同一に、1080/60pのAVストリームが記録されたディスク記録媒体１９を作成することができる。また、1080/60pのAVストリームが記録されたディスク記録媒体１９を再生する場合も、BD-ROMの規格のディスク記録媒体１９とほぼ同様に再生処理を実行することができる。
【００４９】
［再生装置１の機能ブロック図］
図４は、再生装置１の機能ブロック図である。
【００５０】
再生装置１は、トラックバッファ３１Aおよび３１B、デマルチプレクサ３２Aおよび３２B、ESバッファ３３A乃至３３D、プライマリビデオデコーダ３４A、セカンダリビデオデコーダ３４B、プライマリオーディオデコーダ３４C、セカンダリオーディオデコーダ３４D、ミキサ３５乃至３７、並びに制御部３８により構成される。
【００５１】
ドライブ１８（図１）によってディスク記録媒体１９から読み出された1080/60pのAVストリームは、トラックバッファ３１Aおよび３１Bに供給される。また、ディスク記録媒体１９から読み出された再生制御情報は、制御部３８に供給される。
【００５２】
トラックバッファ３１A乃至３１Bは、FIFO(First-IN First-Out)バッファであり、ディスク記録媒体１９から供給された1080/60pのAVストリームを一時的に記憶した後、供給された順に後段に出力する。
【００５３】
すなわち、トラックバッファ３１Aは、供給された1080/60pのAVストリームを一時的に記憶した後、デマルチプレクサ３２Aに供給する。トラックバッファ３１Bも同様に、ディスク記録媒体１９から供給された1080/60pのAVストリームを一時的に記憶した後、デマルチプレクサ３２Bに供給する。
【００５４】
デマルチプレクサ３２Aは、トラックバッファ３１Aから供給されたAVストリームを、ビデオストリーム（エレメンタリストリーム）とオーディオストリーム（エレメンタリストリーム）に分離する。また、デマルチプレクサ３２Aは、分離して得られたビデオストリームを、プライマリビデオストリームとセカンダリビデオストリームに分離する。
【００５５】
なお、1080/60pの映像表示では、上述したように、セカンダリオーディオは使用されず、セカンダリオーディオストリームは記録されていないので、オーディオストリームをプライマリオーディオストリームとセカンダリオーディオストリームに分離する必要はない。
【００５６】
デマルチプレクサ３２Aは、分離して得られたプライマリビデオストリームをESバッファ３３Aに供給し、プライマリオーディオストリームをESバッファ３３Cに供給する。
【００５７】
デマルチプレクサ３２Bは、トラックバッファ３１Bから供給されたAVストリームを、ビデオストリームとオーディオストリームに分離する。また、デマルチプレクサ３２Bは、分離して得られたビデオストリームを、プライマリビデオストリームとセカンダリビデオストリームに分離する。
【００５８】
デマルチプレクサ３２Bは、分離して得られたセカンダリビデオストリームをESバッファ３３Bに供給する。セカンダリオーディオストリームは存在しないので、ESバッファ３３Dには何も供給されない。
【００５９】
ES（Elementary Stream）バッファ３３A乃至３３Dは、FIFOバッファであり、供給されたビデオストリームまたはオーディオストリームを一時的に記憶した後、供給された順に後段に出力する。
【００６０】
すなわち、ESバッファ３３Aは、供給されたプライマリビデオストリームを一時的に記憶し、記憶しているプライマリビデオストリームを、供給された順にプライマリビデオデコーダ３４Aに供給する。
【００６１】
ESバッファ３３Bは、供給されたセカンダリビデオストリームを一時的に記憶し、記憶しているセカンダリビデオストリームを、供給された順にセカンダリビデオデコーダ３４Bに供給する。
【００６２】
ESバッファ３３Cは、供給されたプライマリオーディオストリームを一時的に記憶し、記憶しているプライマリオーディオストリームを、供給された順にプライマリオーディオデコーダ３４Cに供給する。
【００６３】
ESバッファ３３Dも、セカンダリオーディオストリームが供給された場合には、セカンダリオーディオストリームを一時的に記憶した後、供給された順にセカンダリオーディオデコーダ３４Dに供給するが、1080/60pのAVストリームの再生では、セカンダリオーディオストリームが供給されないので、ESバッファ３３Dは何の処理も実行しない。
【００６４】
プライマリビデオデコーダ３４Aは、ESバッファ３３Aから供給される、所定の方式（例えば、MPEG2方式）で符号化されているプライマリビデオストリームを復号して、その結果得られる映像信号をミキサ３５に供給する。
【００６５】
セカンダリビデオデコーダ３４Bは、ESバッファ３３Bから供給される、所定の方式で符号化されているセカンダリビデオストリームを復号して、その結果得られる映像信号をミキサ３５に供給する。
【００６６】
プライマリオーディオデコーダ３４Cは、ESバッファ３３Cから供給される、所定の方式で符号化されているプライマリオーディオストリームを復号して、その結果得られる音声信号をミキサ３６に供給する。
【００６７】
セカンダリオーディオデコーダ３４Dも、ESバッファ３３Dからセカンダリオーディオストリームが供給された場合には、供給されたセカンダリオーディオストリームを復号して、その結果得られる音声信号をミキサ３６に供給するが、1080/60pのAVストリームの再生では、セカンダリオーディオストリームが供給されないので、セカンダリオーディオデコーダ３４Dは何の処理も実行しない。
【００６８】
以上のように、1080/60pのAVストリームの再生では、プライマリビデオデコーダ３４A、セカンダリビデオデコーダ３４B、およびプライマリオーディオデコーダ３４Cは、1080/60iのAVストリームをデコードするときと同様の処理を行えばよい。
【００６９】
ミキサ３５には、制御部３８から、合成のオンまたはオフを表す合成制御信号が供給される。ミキサ３５は、合成のオンを表す合成制御信号が供給された場合、プライマリビデオデコーダ３４Aからのプライマリビデオストリームに対応する映像信号と、セカンダリビデオデコーダ３４Bからのセカンダリビデオストリームに対応する映像信号を合成し、その結果得られる映像信号をミキサ３７に供給する。図２を参照して説明したように、プライマリビデオストリームに対応する映像信号と、セカンダリビデオストリームに対応する映像信号は、一方が1080/60iの映像の奇数ラインの信号であり、他方が、同一フレームの1080/60iの映像の偶数ラインの信号である。従って、ミキサ３５によって合成されることにより、1080/60pの映像信号が生成され、ミキサ３７に供給される。
【００７０】
一方、合成のオフを表す合成制御信号が供給された場合には、ミキサ３５は、プライマリビデオデコーダ３４Aからの映像信号を、そのままミキサ３７に供給する。
【００７１】
ミキサ３６は、プライマリオーディオデコーダ３４Cとプライマリオーディオデコーダ３４Dの両方から、デコードされた結果としての音声信号が供給された場合、その２つの音声信号を合成（ミキシング）し、その結果得られる音声信号を外部の装置に出力する。  
【００７２】
しかし、1080/60pのAVストリームの再生では、セカンダリオーディオストリームが存在しないので、プライマリオーディオデコーダ３４Dから、音声信号は供給されない。従って、1080/60pのAVストリームの再生では、ミキサ３６は、プライマリオーディオデコーダ３４Cから供給されるプライマリオーディオストリームに対応する音声信号をそのまま外部の装置に出力する。
【００７３】
ミキサ３７は、ミキサ３５から供給される映像信号を外部の装置に出力する。なお、設定値や設定画面などの所定の文字や画像を、ディスク記録媒体１９の再生映像に重畳させる場合には、制御部３８からミキサ３７に、重畳させる文字や画像の信号であるOSD信号が供給される。ミキサ３７は、制御部３８からOSD信号が供給された場合には、そのOSD信号に対応する文字や画像を、ミキサ３５からの映像信号に対応する映像に重畳した映像信号を生成し、外部の装置に出力する。
【００７４】
制御部３８は、ディスク記録媒体１９から読み出されて供給される再生制御情報を、図３を参照して説明したように、内部のレジスタに記憶させる。
【００７５】
制御部３８は、内部のレジスタに記憶された再生制御情報を参照し、合成制御信号をミキサ３５に供給する。具体的には、制御部３８は、セカンダリビデオの表示サイズがフルサイズであり、かつ、合成表示フラグがプライマリビデオストリームとセカンダリビデオストリームを合成することを表している場合、合成のオンを表す合成制御信号をミキサ３５に供給する。一方、セカンダリビデオの表示サイズがフルサイズ以外であるか、または、合成表示フラグがプライマリビデオストリームとセカンダリビデオストリームを合成することを表していない場合、合成のオフを表す合成制御信号をミキサ３５に供給する。
【００７６】
なお、セカンダリオーディオストリームだけでなく、セカンダリビデオストリームも存在しない場合、デマルチプレクサ３２B、セカンダリビデオデコーダ３４B、およびセカンダリオーディオデコーダ３４D等は、処理を行う必要がない。そこで、制御部３８は、再生制御情報のSecondary video stream numberの値が０である場合、デマルチプレクサ３２B、セカンダリビデオデコーダ３４B、およびセカンダリオーディオデコーダ３４D等を停止させる。
【００７７】
[1080/60pのAVストリームの表示制御処理]
図５は、再生装置１による1080/60pのAVストリームの表示制御処理のフローチャートである。この処理は、例えば、ディスク記録媒体１９に記録された1080/60pのAVストリームの再生がユーザによって指示された場合に開始される。
【００７８】
初めに、ステップＳ１において、制御部３８は、ディスク記録媒体１９から読み出されて供給される再生制御情報を、内部のレジスタに記憶させる。
【００７９】
ステップＳ２において、制御部３８は、内部のレジスタに記憶された再生制御情報を参照し、セカンダリビデオの表示サイズがフルサイズであり、かつ、合成表示フラグがプライマリビデオストリームとセカンダリビデオストリームを合成することを表しているかを判定する。
【００８０】
ステップＳ２で、セカンダリビデオの表示サイズがフルサイズ以外であるか、または、合成表示フラグがプライマリビデオストリームとセカンダリビデオストリームを合成することを表していないと判定された場合、1080/60pのAVストリームの表示制御処理は終了する。なお、この場合には、説明は省略するが、BD-ROMの規格に準拠した720/60pや1080/60iなどの、1080/60p以外のAVストリームの表示制御処理が実行される。
【００８１】
一方、ステップＳ２で、セカンダリビデオの表示サイズがフルサイズであり、かつ、合成表示フラグがプライマリビデオストリームとセカンダリビデオストリームを合成することを表していると判定された場合、処理はステップＳ３に進み、制御部３８は、合成のオンを表す合成制御信号をミキサ３５に供給する。
【００８２】
ステップＳ４において、デマルチプレクサ３２Aは、トラックバッファ３１Aを介してディスク記録媒体１９から供給されたAVストリームを、ビデオストリームとオーディオストリームに分離する。
【００８３】
また、ステップＳ４では、デマルチプレクサ３２Bも、デマルチプレクサ３２Aと同様に、トラックバッファ３１Bを介してディスク記録媒体１９から供給されたAVストリームを、ビデオストリームとオーディオストリームに分離する。
【００８４】
なお、分離して得られたオーディオストリームは、プライマリオーディオストリームのみとなっている。
【００８５】
ステップＳ５において、デマルチプレクサ３２Aは、分離して得られたビデオストリームを、プライマリビデオストリームとセカンダリビデオストリームに分離する。
【００８６】
また、ステップＳ５では、デマルチプレクサ３２Bも、デマルチプレクサ３２Aと同様に、分離して得られたビデオストリームを、プライマリビデオストリームとセカンダリビデオストリームに分離する。
【００８７】
ステップＳ６において、プライマリビデオデコーダ３４A、セカンダリビデオデコーダ３４B、およびプライマリオーディオデコーダ３４Cのそれぞれは、供給されるビデオストリームまたはオーディオストリームを所定の方式で復号する。
【００８８】
すなわち、プライマリビデオデコーダ３４Aは、ESバッファ３３Aを介してデマルチプレクサ３２Aから供給されるプライマリビデオストリームを復号して、その結果得られる映像信号をミキサ３５に供給する。
【００８９】
セカンダリビデオデコーダ３４Bは、ESバッファ３３Bを介してデマルチプレクサ３２Bから供給されるセカンダリビデオストリームを復号して、その結果得られる映像信号をミキサ３５に供給する。
【００９０】
プライマリオーディオデコーダ３４Cは、ESバッファ３３Cを介してデマルチプレクサ３２Aから供給されるプライマリオーディオストリームを復号して、その結果得られる音声信号をミキサ３６に供給する。
【００９１】
ステップＳ７において、ミキサ３５は、合成のオンを表す合成制御信号に基づいて、プライマリビデオストリームに対応する映像信号と、セカンダリビデオストリームに対応する映像信号を合成し、その結果得られる1080/60pの映像信号をミキサ３７に供給する。
【００９２】
ステップＳ８において、ミキサ３７は、ミキサ３５から供給される1080/60pの映像信号を外部の装置に出力する。なお、ミキサ３７は、制御部３８からOSD信号が供給されている場合には、そのOSD信号に対応する文字や画像を、ミキサ３５からの映像信号に対応する映像に重畳した映像信号を生成し、外部の装置に出力する。
【００９３】
ステップＳ９において、ミキサ３６は、プライマリオーディオデコーダ３４Cから供給されるプライマリオーディオストリームに対応する音声信号を外部の装置に出力する。
【００９４】
上述したステップＳ４乃至Ｓ９の処理それぞれは、AVストリームがディスク記録媒体１９から読み出されなくなるまで継続して実行され、AVストリームがディスク記録媒体１９から読み出されなくなったとき、終了する。
【００９５】
以上の表示制御処理により、再生装置１は、BD-ROM規格にほぼ準拠する形でAVストリームが記録されたディスク記録媒体１９を再生し、1080/60pの映像を外部の装置に表示させることができる。
【００９６】
1080/60pの映像表示をするためのAVストリームが記録されたディスク記録媒体１９は、BD-ROM規格に準拠したディスク記録媒体１９とは、プレイリストの一部として記録されている再生制御情報の予備領域の箇所に、1080/60pの映像表示の有効または無効を識別する合成表示フラグが追加されている点が相違するのみである。
【００９７】
従って、BD-ROM Profile1.1のフォーマットのサブセットとして、1080/60pの映像表示をするためのAVストリームが記録されたディスク記録媒体１９の作成が容易である。また、BD-ROM規格に準拠したディスク記録媒体１９が再生可能な装置から、簡単な構成の変更のみで再生装置１を実現することができる。即ち、簡単な構成で、1080/60pの高画質な映像を再生することができる。勿論、BD-ROM規格に準拠したディスク記録媒体１９も再生可能である（BD-ROM規格との再生互換性もある）。
【００９８】
なお、再生装置１は、BD-ROM（商標）と、 BD-ROM規格にほぼ準拠した形で1080/60pの映像表示をするためのAVストリームが記録されたディスク記録媒体１９とを再生可能であるとして説明したが、その他に、CD-ROM(Compact Disc-Read Only Memory)、DVD-ROM (Digital Versatile Disc-ROM)などの他の読み取り専用のディスク記録媒体も併せて再生可能とすることができる。また、記録再生装置の再生機能として、上述した1080/60pの映像表示をするためのAVストリームが記録されたディスク記録媒体１９を再生可能な構成を有していてもよい。
【００９９】
本明細書において、フローチャートに記述されたステップは、記載された順序に沿って時系列的に行われる処理はもちろん、必ずしも時系列的に処理されなくとも、並列的あるいは個別に実行される処理をも含むものである。
【０１００】
本発明の実施の形態は、上述した実施の形態に限定されるものではなく、本発明の要旨を逸脱しない範囲において種々の変更が可能である。
【図面の簡単な説明】
【０１０１】
【図１】本発明を適用した再生装置の一実施の形態の構成例を示すブロック図である。
【図２】1080/60pの映像の再生原理を示す図である。
【図３】再生制御情報の例を示す図である。
【図４】再生装置の機能ブロック図である。
【図５】表示制御処理を説明するフローチャートである。
【符号の説明】
【０１０２】
１  再生装置，  １１  CPU，  １２  ROM，  １３  RAM，  １８  ドライブ，  ３５  ミキサ，  ３８  制御部
【図１】
2010109404.tif 000003
【図２】
2010109404.tif 000004
【図３】
2010109404.tif 000005
【図４】
2010109404.tif 000006
【図５】
2010109404.tif 000007